(57)【特許請求の範囲】
【請求項１】
骨を削取するためのものであって、本体の先端部に刃板が垂下され、この刃板に対して接離可能にして収納空間が形成されたスライド体を有し、前記スライド体を前記刃板に近接せしめた状態で、前記本体を引動し前記刃板の先端に設けた刃により前記骨を削取した際、この削取された骨が前記収納空間に導入されるように構成されており、また、前記スライド体を前記刃板に近接せしめた際、前記スライド体に当接する当接体が前記刃板の内面に突設され、前記当接体が前記スライド体に当接することで、前記スライド体のスライド移動の抵抗となるとともに、前記刃による前記骨の削取の際、前記本体の前記スライド体から離れる方向への弾性変形が阻止されるように構成されていることを特徴とする骨削取具。
【請求項２】
請求項１記載の骨削取具において、前記スライド体の先端部は筒状に設けられ、このスライド体の先端孔部が前記収納空間に設定されていることを特徴とする骨削取具。
【請求項３】
請求項１，２いずれか１項に記載の骨削取具において、前記スライド体は透明の合成樹脂製の部材で構成されていることを特徴とする骨削取具。
【請求項４】
請求項１〜３いずれか１項に記載の骨削取具において、前記本体は基体と該基体に連設されるガイド棒体とから成り、このガイド棒体には前記スライド体が被嵌され、前記基体は合成樹脂製の細長長尺体で構成されていることを特徴とする骨削取具。
【請求項５】
請求項１〜４いずれか１項に記載の骨削取具において、前記スライド体には、前記スライド体を前記刃板に近接せしめた際、前記当接体が係止当接する係止当接部が設けられていることを特徴とする骨削取具。
【請求項６】
請求項１〜４いずれか１項に記載の骨削取具において、前記スライド体の内面は、前記スライド体を前記刃板に近接せしめた際、前記当接体が当接する被当接部に設定されていることを特徴とする骨削取具。
【請求項７】
請求項１〜６いずれか１項に記載の骨削取具において、前記基体の先端部内面には、前記削取された骨が載置される骨載置部が設けられ、この骨載置部の左右位置には壁部及び前記骨載置部から前記削取された骨を排出する骨排出部が設けられていることを特徴とする骨削取具。
【請求項８】
請求項１〜７いずれか１項に記載の骨削取具において、前記本体の上面部には該本体を握持して指を掛ける指掛け凸部が設けられていることを特徴とする骨削取具。
【発明の詳細な説明】
【技術分野】
【０００１】
本発明は、骨を削取するための骨削取具に関するものである。
【背景技術】
【０００２】
例えば歯科で行われるインプラント治療の際、人工歯根（インプラント）を埋め込む部位（骨）を平坦にする目的で削ったり、或いは、人工歯根を埋め込む部位の骨量（高さや厚み）が足りない場合に当該部位へ自家骨を移植する場合があり、その為、自家骨の削取が行われる。
【０００３】
そこで、従来から、骨を削取する骨削取具（以下、従来例）が提案されている。
【０００４】
この従来例は、棒状の本体の先端に刃板を設けるとともに、この刃板の近傍に該刃板で削取した骨を収納する骨収納ケースを着脱自在に設けた構成であり、本体を握持して刃板で骨の表面を掻くようにすると、この削取された骨は骨収納ケースに収納される。
【発明の概要】
【発明が解決しようとする課題】
【０００５】
ところが、従来例は、実際の手術現場において、骨収納ケースから削取された骨を取り出す際、本体から骨収納ケースを取り外さなければならず、厄介であり、しかも、本体から骨収納ケースを取り外す際、誤って骨収納ケースに収納された骨をこぼしてしまうことが生じ得るなどの問題点があった。
【０００６】
本発明は、前述した問題点を解消する、従来ない作用効果を発揮する画期的な骨削取具を提供するものである。
【課題を解決するための手段】
【０００７】
添付図面を参照して本発明の要旨を説明する。
【０００８】
骨１を削取するためのものであって、本体３の先端部に刃板５が垂下され、この刃板５に対して接離可能にして収納空間７が形成されたスライド体４を有し、前記スライド体４を前記刃板５に近接せしめた状態で、前記本体３を引動し前記刃板５の先端に設けた刃５ａにより前記骨１を削取した際、この削取された骨１ａが前記収納空間７に導入されるように構成されており、また、前記スライド体４を前記刃板５に近接せしめた際、前記スライド体４に当接する当接体８が前記刃板５の内面に突設され、前記当接体８が前記スライド体４に当接することで、前記スライド体４のスライド移動の抵抗となるとともに、前記刃５ａによる前記骨１の削取の際、前記本体３の前記スライド体４から離れる方向への弾性変形が阻止されるように構成されていることを特徴とする骨削取具に係るものである。
【０００９】
また、請求項１記載の骨削取具において、前記スライド体４の先端部は筒状に設けられ、このスライド体４の先端孔部６が前記収納空間７に設定されていることを特徴とする骨削取具に係るものである。
【００１０】
また、請求項１，２いずれか１項に記載の骨削取具において、前記スライド体４は透明の合成樹脂製の部材で構成されていることを特徴とする骨削取具に係るものである。
【００１１】
また、請求項１〜３いずれか１項に記載の骨削取具において、前記本体３は基体15と該基体15に連設されるガイド棒体16とから成り、このガイド棒体16には前記スライド体４が被嵌され、前記基体15は合成樹脂製の細長長尺体で構成されていることを特徴とする骨削取具に係るものである。
【００１２】
また、請求項１〜４いずれか１項に記載の骨削取具において、前記スライド体４には、前記スライド体４を前記刃板５に近接せしめた際、前記当接体８が係止当接する係止当接部４ｄが設けられていることを特徴とする骨削取具に係るものである。
【００１３】
また、請求項１〜４いずれか１項に記載の骨削取具において、前記スライド体４の内面は、前記スライド体４を前記刃板５に近接せしめた際、前記当接体８が当接する被当接部に設定されていることを特徴とする骨削取具に係るものである。
【００１４】
また、請求項１〜６いずれか１項に記載の骨削取具において、前記基体15の先端部内面には、前記削取された骨１ａが載置される骨載置部11が設けられ、この骨載置部11の左右位置には壁部12及び前記骨載置部11から前記削取された骨１ａを排出する骨排出部13が設けられていることを特徴とする骨削取具に係るものである。
【００１５】
また、請求項１〜７いずれか１項に記載の骨削取具において、前記本体３の上面部には該本体３を握持して指を掛ける指掛け凸部10が設けられていることを特徴とする骨削取具に係るものである。
【発明の効果】
【００１６】
本発明は上述のように構成したから、前述した従来例と異なり、削取された骨が収納された収納空間から該骨を取り出す作業が簡易且つ良好に行えることになるなど、従来にない作用効果を発揮する画期的な骨削取具となる。
【図面の簡単な説明】
【００１７】
【図１】本実施例を示す斜視図である。
【図２】本実施例を示す側面図である。
【図３】本実施例を示す側断面図である。
【図４】図３のＡ−Ａ断面図である。
【図５】本実施例に係る要部の断面図である。
【図６】インプラント治療の説明図である。
【図７】本実施例の使用状態説明図である。
【図８】本実施例の使用状態説明図である。
【図９】インプラント治療の説明図である。
【発明を実施するための形態】
【００１８】
好適と考える本発明の実施形態を、図面に基づいて本発明の作用を示して簡単に説明する。
【００１９】
スライド体４を刃板５に近接せしめた状態で本体３を後方に引動し、刃板５の刃５ａで骨１の表面を掻くようにすると、骨１は削られる。この削取された骨１ａは、スライド体４と刃板５との間隙を介してスライド体４により形成される収納空間７に収納される。
【実施例】
【００２０】
本発明の具体的な一実施例について図面に基づいて説明する。
【００２１】
本実施例は、骨１を削取するためのものであって、本体３の先端部に刃板５が垂下され、この刃板５に対して接離可能なスライド体４を有するものである。
【００２２】
具体的には、本体３は、基体15と、この基体15の下面側に設けられるガイド棒体16とで構成されており、本体３のサイズは、長さ約１３．５ｃｍ，巾約１ｃｍの手持ちサイズである。尚、本実施例では基体15とガイド棒体16を別体としたが一体成形しても良く、また、後述するように素材は合成樹脂に限らず金属製でも良いなど本実施例の特性を発揮するものであれば適宜採用し得るものである。
【００２３】
基体15は、図１〜３に図示したように適宜な合成樹脂製の部材で形成した細長長尺体（板状体）である。
【００２４】
また、基体15は、先端側の左右側縁に鉤状片15ａが垂設されている。
【００２５】
この左右の鉤状片15ａは、図４に図示したように後述するスライド体４の先端側左右側面に設けられる凹条４ｃに係止して当該スライド体４のスライド移動をガイドするためのものである。
【００２６】
また、基体15には握持する指（人差し指）を掛ける指掛け凸部10が設けられている。
【００２７】
この指掛け凸部10は、図１〜３に図示したように基体15の先端側上面に突出状態に設けられており、頂き部10'を境に前後方向に傾斜部10”が連設する山形状に形成されている。この傾斜部10”には凸条10ａが巾方向に形成されており、この凸条10ａは指を掛けた際の滑り止めである。
【００２８】
また、基体15の下面基端位置には凹状の被係止部15ｂが設けられている。
【００２９】
この被係止部15ｂは、スライド体４を刃板５に近接させた際、スライド体４の基端部に設けた凸状のスライド係止部４ｂが係止するように構成されている。
【００３０】
従って、スライド体４は被係止部15ｂにスライド係止部４ｂが係止すると先端側方向及び基端側方向へのスライド移動がロックされる。尚、刃板５に近接するスライド体４の基端側方向へのスライド移動に対しては、後述する当接体８によっても抵抗が生じるように構成されている。
【００３１】
また、基体15の先端部下面は平坦面に形成されており、この部位は、基体15を逆さ状態（下面を上向き状態）とするとともに、刃板５に近接するスライド体４を基端側方向にスライド移動させた際、後述する収納空間７に収納された削取された骨１ａが載置される骨載置部11として機能するように構成されている。
【００３２】
また、この骨載置部11の左右位置には壁部12及び骨載置部11から削取された骨１ａを排出する骨排出部13が設けられている。
【００３３】
具体的には、この壁部12は、後述する刃板５を構成する金属板材17の一部で構成されており、この金属板材17は基体15の先端部上面に重合連結され、その左右側縁を下方へ向けて直角に折曲形成した立ち上がり片12を設け、この立ち上がり片12を基体15の下面にして骨載置部11の左右側縁から突出するように設けて構成されている。
【００３４】
尚、骨排出部は、壁部12に切欠部や窓孔を設けることで構成しても良いし、骨載置部11の左右のいずれか一方にのみ骨排出部を設けるようにしても良い。
【００３５】
また、基体15の基端部にはガイド棒体16が連設されている。
【００３６】
ガイド棒体16は、図１〜４に図示したように断面円形の棒状体であり、基体15の下面側にして所定間隔を介した位置に平行状態に設けられ、後述する筒状のスライド体４がスライド移動自在に被嵌連結される。
【００３７】
また、ガイド棒体16の先端部は、スライド体４をスライド基端までスライド移動させた際、スライド体４の先端と面一となるように設けられており、スライド体４の先端孔部６内に入った削取された骨１ａを押し出す押し出し部として機能するように構成されている。
【００３８】
尚、ガイド棒体16の先端部はスライド体４の先端から突出状態となるように設けても良い。
【００３９】
また、本体３の先端部には刃板５が設けられている。
【００４０】
この刃板５は、本体３の先端部に該本体３の長さ方向と交差する方向に垂設されている。
【００４１】
具体的には、この刃板５は、図１〜４に図示したように適宜な金属製（ステンレス）の板材で形成したものであり、本体３に係る基体15の先端部上面に連結される金属板材17の先端を下方に直角に折曲形成し、この折曲片を基体15の下面にして骨載置部11の先端縁から突出するように設けて構成されている。
【００４２】
つまり、この刃板５と前述した壁部12は金属板材17の一部を折曲形成して夫々形成される。
【００４３】
この刃板５は、本体３を後方に引動させて骨１の表面を掻き取るように削った際、削取された骨１ａが刃板５の内面側に導入される構成である。
【００４４】
また、刃板５は、スライド体４をスライド先端に位置せしめた際、スライド体４の先端部（先端孔部６）が当該刃板５の内面に少許の間隙（約０．２ｍｍ）を介して近接する。
【００４５】
また、刃板５の刃５ａは、スライド体４の下端よりも下方に突出するように構成されている。
【００４６】
また、刃板５の内面には金属棒製の凸体８が設けられている。
【００４７】
この凸体８は、スライド体４をスライド先端に位置せしめた際、スライド体４に当接して該スライド体４の基端側方向へのスライド移動の抵抗となる当接体８として構成されており、この当接体８はスライド体４に押圧当接する。
【００４８】
具体的には、基体15及び金属板材17の先端部は、上方向への移動に抗する弾性を有しており、よって、この基体15及び金属板材17の弾性により、当接体８はスライド体４に押圧当接せしめられている。尚、図示していないが当接体８にはスライド体４に係止して該スライド体４の基端側方向へのスライド移動の抵抗となるスライド抵抗部を設けるようにしても良い。
【００４９】
また、本実施例は、スライド体４を刃板５に近接せしめた際、当接体８が当接する被当接部が設けられ、この被当接部はスライド体４に設けられている。
【００５０】
具体的には、スライド体４をスライド先端に位置せしめた際、当接体８が当接するスライド体４の被当接部（先端孔部６の上側内壁面）が、本体３と当接体８との間に位置するように設けられており、当接体８は刃板５の基端側方向への移動（退避移動）を阻止するように構成されている。
【００５１】
従って、この当接体８により刃板５で骨１を削る抵抗により刃板５が基端側（上方側）へ移動するのが阻止され、刃５ａがスライド体４の下端から突出した状態を維持して確実に削れるように構成されている。
【００５２】
スライド体４は、図１〜４に図示したように適宜な透明の合成樹脂製の部材を筒状に形成したものである。
【００５３】
このスライド体４の先端部は開口しており、この先端開口部を有する先端孔部６は、スライド体４をスライド先端に位置させた際、刃板５の内面に対して少許の間隙を介した状態で近接し、刃板５により閉塞される削取された骨１ａの収納空間７を構成する。
【００５４】
また、スライド体４には指当て部４ａが設けられている。
【００５５】
この指当て部４ａは、スライド体４がスライド先端に位置した際、前述した本体３の指掛け凸部10の下方位置に位置するように設けられている。
【００５６】
また、スライド体４の上面基端位置には凸状のスライド係止部４ｂが設けられている。
【００５７】
このスライド係止部４ｂは、スライド体４をスライド先端に位置させた際、基体15の下面基端位置に設けた凹状の被係止部15ｂに係止するように構成されている。尚、係止部４ｂを凹状とし、被係止部15ｂを凸状としても良い。
【００５８】
また、スライド体４は、図４に図示したように先端側左右側面に本体３に係る基体15の左右側縁に設けた鉤状片15ａがスライドする凹条４ｃが設けられている。
【００５９】
また、スライド体４の先端孔部６にして内底面には、該スライド体４の先端開口縁に開口する凹溝が設けられている。
【００６０】
この凹溝は、スライド体４の先端孔部６に対して当接体８が入るのを案内するガイドとなり、且つ、スライド体４の軸方向の回転を阻止する係止当接部４ｄである。
【００６１】
尚、本実施例ではスライド体４の先端部を断面筒状としたが、一部が切欠した断面Ｕ字状（断面半円筒状）でも良く、この場合、収納空間７は、スライド体４の内面と本体３の下面とで囲まれた空間で形成され、この収納空間７は刃板５で閉塞される。
【００６２】
本実施例は上述のように構成したから、図６に図示したインプラント治療における歯茎20を切開して露出させた骨１（歯槽骨）を削る場合、握持した本体３を後方に引動させ、刃板５で骨１の表面を掻くようにすると、骨１は削られる。この削取された骨１ａは、刃板５の内面側に導入され該刃板５とスライド体４（凹部６）との少許の間隙を通過した後、スライド体４で形成される収納空間７に収納される（図７参照）。
【００６３】
この削取された骨１ａを自家骨として移植する場合、例えば接合材（ハイドロキシアパタイト）と混ぜて移植されるが、収納空間７に収納される削取された骨１ａを取り出す際には、基体15を上下逆さ状態としてスライド体４を基端側方向にスライド移動させ、刃板５から先端孔部６を離すことで収納空間７は開放状態となり、削取された骨１ａは骨載置部11に載置する。
【００６４】
この骨載置部11に載置され外部に露出状態となった削取された骨１ａは、当該骨載置部11の左右位置に設けられた骨排出部から掻き出すようにして取り出すことができる（図８参照）。
【００６５】
その後、骨１（歯槽骨）に人工歯根21（インプラント）を埋め込んでインプラント治療は完了する。
【００６６】
よって、本実施例によれば、スライド体４をスライド移動させるだけで削取された骨１ａを収納する収納空間７を開放することができ、しかも、この収納空間７を開放する操作がスライド操作と言う円滑な操作によるものであるから、不意に削取された骨１ａをこぼしたりせず取り出し作業が簡易且つ良好に行えることになる。
【００６７】
また、本実施例は、スライド体４を刃板５に近接せしめた際、スライド体４に当接して該スライド体４の基端側方向へのスライド移動の抵抗となる当接体８が刃板５の内面に設けられているから、不意にスライド体４の基端側方向へのスライド移動を抑制し得ることになる。
【００６８】
また、本実施例は、当接体８はスライド体４に押圧当接するから、より一層良好にスライド体４の基端側方向へのスライドを抑制し得ることになる。
【００６９】
また、本実施例は、スライド体４を刃板５に近接せしめた際、当接体８が当接する被当接部が設けられ、この被当接部はスライド体４に設けられているから、刃板５により骨１を削る際、この削り抵抗により刃板５に対して基端側方向へ移動する力が作用するが、スライド体４に当接する当接体８によりこの基端側方向への移動が阻止され、よって、常に刃板５による削り作業が良好に行える状態が得られることになる。
【００７０】
また、本実施例は、本体３の先端部内面には、削取された骨１ａが載置される骨載置部11が設けられ、この骨載置部11の左右位置には壁部12及び骨載置部11から削取された骨１ａを排出する骨排出部13が設けられているから、この点においても削取された骨１ａを良好に取り出すことができる。
【００７１】
また、本実施例は、本体３の上面部には該本体３を握持する指を掛ける指掛け凸部10が設けられているから、刃板５による骨１の表面を掻き取るようにして行う削り作業が良好に行えることになる。
【００７２】
尚、本発明は、本実施例に限られるものではなく、各構成要件の具体的構成は適宜設計し得るものである。
【符号の説明】
【００７３】
１  骨
１ａ  削取された骨
３  本体
４  スライド体
４ｄ  係止当接部
５  刃板
５ａ  刃
６  先端孔部
７  収納空間
８  当接体
10  指掛け凸部
11  骨載置部
12  壁部
13  骨排出部
15  基体
16  ガイド棒体
【図１】
0005647493.tif 000002
【図２】
0005647493.tif 000003
【図３】
0005647493.tif 000004
【図４】
0005647493.tif 000005
【図５】
0005647493.tif 000006
【図６】
0005647493.tif 000007
【図７】
0005647493.tif 000008
【図８】
0005647493.tif 000009
【図９】
0005647493.tif 000010